(57)【特許請求の範囲】
【請求項１】
ブロックに電子部品を組み付けた電子部品ユニットと、
中空状に形成される本体部、前記本体部の内部に形成され前記電子部品ユニットを収容する収容空間部、前記本体部に形成され当該本体部の外部と前記収容空間部とを連通し前記電子部品ユニットを第１方向に沿って前記収容空間部に挿入可能とする第１開口部、及び、前記本体部に形成され当該本体部の外部と前記収容空間部とを連通し前記電子部品ユニットが前記収容空間部に収容された状態で前記ブロックに組み付けられた前記電子部品と前記第１方向と交差する第２方向に沿って対向する第２開口部を有する収容部材と、
前記本体部に組み付けられ前記第２方向に沿って移動することで前記第１開口部、及び、前記第２開口部を開閉可能である蓋部材とを備えることを特徴とする、
電気接続箱。
【請求項２】
前記電子部品ユニットは、前記収容空間部に収容された状態で前記ブロックに対して前記電子部品を前記第２方向に沿って着脱可能である、
請求項１に記載の電気接続箱。
【請求項３】
前記第１開口部と前記第２開口部とは、それぞれ前記本体部において隣接する異なる面に形成されて連続する、
請求項１又は請求項２に記載の電気接続箱。
【請求項４】
前記蓋部材は、前記第１開口部を開閉する第１蓋部と、前記第２開口部を開閉する第２蓋部とを有し、前記第１蓋部が前記第１開口部を開放し前記第２蓋部が前記第２開口部を開放する開放位置と前記第１蓋部が前記第１開口部を閉鎖し前記第２蓋部が前記第２開口部を閉鎖する閉鎖位置とに前記第２方向に沿って移動可能である、
請求項１乃至請求項３のいずれか１項に記載の電気接続箱。
【請求項５】
前記第２開口部は、前記本体部の鉛直方向上側の壁面に形成され、
前記蓋部材と前記本体部とは、前記蓋部材が前記本体部に組み付けられた状態で前記第２開口部の縁部に沿って前記蓋部材が鉛直方向上側、前記本体部が鉛直方向下側に位置して鉛直方向に重なる鉛直方向重複部位を有し、
前記蓋部材は、前記鉛直方向重複部位において鉛直方向下側に突出し前記第２開口部の縁部に沿って延在する第１蓋部材側リブと、前記本体部に組み付けられた状態で前記鉛直方向重複部位において前記第１蓋部材側リブより前記第２開口部の内側に位置し鉛直方向下側に突出して前記第２開口部の縁部に沿って延在する第２蓋部材側リブとを有し、
前記本体部は、前記鉛直方向重複部位において鉛直方向上側に突出し前記第２開口部の縁部に沿って延在すると共に前記蓋部材が組み付けられた状態で前記第１蓋部材側リブと前記第２蓋部材側リブとの間に位置する第１収容部材側リブと、前記収容空間部の鉛直方向上側に第１区画壁を介して区画され前記第１収容部材側リブより前記第２開口部の内側に侵入した水を前記本体部の外部に排出する排水通路とを有する、
請求項１乃至請求項４のいずれか１項に記載の電気接続箱。
【請求項６】
前記第１収容部材側リブは、前記第２開口部が形成された前記本体部の鉛直方向上側の壁面に形成され、
前記排水通路は、前記本体部の鉛直方向上側の壁面と前記第１区画壁とによって区画され水平方向に沿って延在し、
前記本体部は、前記排水通路の外部側の開口において前記第１区画壁を挟んで鉛直方向下側に形成される返し凹部を有する、
請求項５に記載の電気接続箱。
【請求項７】
前記蓋部材は、前記本体部に組み付けられた状態で前記第２蓋部材側リブより前記第２開口部の内側に位置し鉛直方向下側に突出して前記第２開口部の縁部に沿って延在する第３蓋部材側リブを有し、
前記本体部は、前記鉛直方向重複部位において鉛直方向上側に突出し前記第２開口部の縁部に沿って延在すると共に前記蓋部材が組み付けられた状態で前記第２蓋部材側リブと前記第３蓋部材側リブとの間に位置する第２収容部材側リブを有し、
前記第３蓋部材側リブは、鉛直方向下端部が前記収容空間部に収容された前記電子部品ユニットの前記電子部品から外れた滴下許容位置の鉛直方向上側に位置する、
請求項５又は請求項６に記載の電気接続箱。
【請求項８】
前記本体部は、前記第１開口部の前記第２方向に沿った縁部に沿って形成される収容部材側ガイド部と、前記第２開口部を挟んで対向する位置に形成される一対の収容部材側係合部とを有し、
前記蓋部材は、前記収容部材側ガイド部と係合し前記第２方向に沿って案内される蓋部材側ガイド部と、当該蓋部材が前記第１開口部、及び、前記第２開口部を閉鎖した状態で一対の前記収容部材側係合部と係合する一対の蓋部材側係合部とを有する、
請求項１乃至請求項７のいずれか１項に記載の電気接続箱。
【請求項９】
前記収容部材側ガイド部と前記蓋部材側ガイド部とは、前記第１方向、及び、前記第２方向と交差する第３方向に重なる、
請求項８に記載の電気接続箱。
【請求項１０】
前記第１開口部は、鉛直方向に沿って形成され、
前記蓋部材と前記本体部とは、前記蓋部材が前記本体部に組み付けられた状態で前記第１開口部の鉛直方向の縁部に沿って前記蓋部材が前記本体部の外部側に位置して水平方向に重なる水平方向重複部位を有し、
前記蓋部材は、前記本体部に組み付けられた状態で前記水平方向重複部位において前記本体部の前記収容空間部側に位置し前記第１開口部の鉛直方向に沿った縁部に沿って延在する第４蓋部材側リブと、前記本体部に組み付けられた状態で前記収容空間部の水平方向側方に前記第４蓋部材側リブを介して区画され前記水平方向重複部位を介して前記収容空間部側に侵入した水を鉛直方向下側に誘導する第１誘導通路とを有する、
請求項１乃至請求項９のいずれか１項に記載の電気接続箱。
【請求項１１】
前記本体部は、前記収容空間部の水平方向側方に第２区画壁を介して区画され前記第２開口部と前記蓋部材との間を介して前記収容空間部側に侵入した水を鉛直方向下側に誘導する第２誘導通路とを有する、
請求項１乃至請求項１０のいずれか１項に記載の電気接続箱。
【発明の詳細な説明】
【技術分野】
【０００１】
本発明は、電気接続箱に関する。
【背景技術】
【０００２】
従来の電気接続箱として、例えば、特許文献１には、電気部品が設けられたブロックと、周壁及び奥壁により構成されブロックをブロックから導出された電線と共に収納する中空の内部空間を有すると共に該内部空間にブロックを出し入れする一つの開口部を奥壁に対向して有する筐体と、開口部を塞いで内部空間内のブロックを覆う蓋部とを備える電気接続箱が開示されている。そして、この電気接続箱は、電気部品を取り付けたブロックの部品搭載面が周壁のうちの一つの周壁に対向した姿勢で前記ブロックが開口部からスライドして内部空間内に収納される。
【先行技術文献】
【特許文献】
【０００３】
【特許文献１】特開２０１３−０８５４０４号公報
【発明の概要】
【発明が解決しようとする課題】
【０００４】
ところで、上述の特許文献１に記載の電気接続箱は、例えば、電気接続箱の周囲に蓋部を開閉するためのスペースを確保しにくいような場合であっても、内部に収容された部品に対して適正に作業を行うことができる構成が望まれている。
【０００５】
本発明は、上記の事情に鑑みてなされたものであって、内部に収容された部品に対して適正に作業を行うことができる電気接続箱を提供することを目的とする。
【課題を解決するための手段】
【０００６】
上記目的を達成するために、本発明に係る電気接続箱は、ブロックに電子部品を組み付けた電子部品ユニットと、中空状に形成される本体部、前記本体部の内部に形成され前記電子部品ユニットを収容する収容空間部、前記本体部に形成され当該本体部の外部と前記収容空間部とを連通し前記電子部品ユニットを第１方向に沿って前記収容空間部に挿入可能とする第１開口部、及び、前記本体部に形成され当該本体部の外部と前記収容空間部とを連通し前記電子部品ユニットが前記収容空間部に収容された状態で前記ブロックに組み付けられた前記電子部品と前記第１方向と交差する第２方向に沿って対向する第２開口部を有する収容部材と、前記本体部に組み付けられ前記第２方向に沿って移動することで前記第１開口部、及び、前記第２開口部を開閉可能である蓋部材とを備えることを特徴とする。
【０００７】
また、上記電気接続箱では、前記電子部品ユニットは、前記収容空間部に収容された状態で前記ブロックに対して前記電子部品を前記第２方向に沿って着脱可能であるものとすることができる。
【０００８】
また、上記電気接続箱では、前記第１開口部と前記第２開口部とは、それぞれ前記本体部において隣接する異なる面に形成されて連続するものとすることができる。
【０００９】
また、上記電気接続箱では、前記蓋部材は、前記第１開口部を開閉する第１蓋部と、前記第２開口部を開閉する第２蓋部とを有し、前記第１蓋部が前記第１開口部を開放し前記第２蓋部が前記第２開口部を開放する開放位置と前記第１蓋部が前記第１開口部を閉鎖し前記第２蓋部が前記第２開口部を閉鎖する閉鎖位置とに前記第２方向に沿って移動可能であるものとすることができる。
【００１０】
また、上記電気接続箱では、前記第２開口部は、前記本体部の鉛直方向上側の壁面に形成され、前記蓋部材と前記本体部とは、前記蓋部材が前記本体部に組み付けられた状態で前記第２開口部の縁部に沿って前記蓋部材が鉛直方向上側、前記本体部が鉛直方向下側に位置して鉛直方向に重なる鉛直方向重複部位を有し、前記蓋部材は、前記鉛直方向重複部位において鉛直方向下側に突出し前記第２開口部の縁部に沿って延在する第１蓋部材側リブと、前記本体部に組み付けられた状態で前記鉛直方向重複部位において前記第１蓋部材側リブより前記第２開口部の内側に位置し鉛直方向下側に突出して前記第２開口部の縁部に沿って延在する第２蓋部材側リブとを有し、前記本体部は、前記鉛直方向重複部位において鉛直方向上側に突出し前記第２開口部の縁部に沿って延在すると共に前記蓋部材が組み付けられた状態で前記第１蓋部材側リブと前記第２蓋部材側リブとの間に位置する第１収容部材側リブと、前記収容空間部の鉛直方向上側に第１区画壁を介して区画され前記第１収容部材側リブより前記第２開口部の内側に侵入した水を前記本体部の外部に排出する排水通路とを有するものとすることができる。
【００１１】
また、上記電気接続箱では、前記第１収容部材側リブは、前記第２開口部が形成された前記本体部の鉛直方向上側の壁面に形成され、前記排水通路は、前記本体部の鉛直方向上側の壁面と前記第１区画壁とによって区画され水平方向に沿って延在し、前記本体部は、前記排水通路の外部側の開口において前記第１区画壁を挟んで鉛直方向下側に形成される返し凹部を有するものとすることができる。
【００１２】
また、上記電気接続箱では、前記蓋部材は、前記本体部に組み付けられた状態で前記第２蓋部材側リブより前記第２開口部の内側に位置し鉛直方向下側に突出して前記第２開口部の縁部に沿って延在する第３蓋部材側リブを有し、前記本体部は、前記鉛直方向重複部位において鉛直方向上側に突出し前記第２開口部の縁部に沿って延在すると共に前記蓋部材が組み付けられた状態で前記第２蓋部材側リブと前記第３蓋部材側リブとの間に位置する第２収容部材側リブを有し、前記第３蓋部材側リブは、鉛直方向下端部が前記収容空間部に収容された前記電子部品ユニットの前記電子部品から外れた滴下許容位置の鉛直方向上側に位置するものとすることができる。
【００１３】
また、上記電気接続箱では、前記本体部は、前記第１開口部の前記第２方向に沿った縁部に沿って形成される収容部材側ガイド部と、前記第２開口部を挟んで対向する位置に形成される一対の収容部材側係合部とを有し、前記蓋部材は、前記収容部材側ガイド部と係合し前記第２方向に沿って案内される蓋部材側ガイド部と、当該蓋部材が前記第１開口部、及び、前記第２開口部を閉鎖した状態で一対の前記収容部材側係合部と係合する一対の蓋部材側係合部とを有するものとすることができる。
【００１４】
また、上記電気接続箱では、前記収容部材側ガイド部と前記蓋部材側ガイド部とは、前記第１方向、及び、前記第２方向と交差する第３方向に重なるものとすることができる。
【００１５】
また、上記電気接続箱では、前記第１開口部は、鉛直方向に沿って形成され、前記蓋部材と前記本体部とは、前記蓋部材が前記本体部に組み付けられた状態で前記第１開口部の鉛直方向の縁部に沿って前記蓋部材が前記本体部の外部側に位置して水平方向に重なる水平方向重複部位を有し、前記蓋部材は、前記本体部に組み付けられた状態で前記水平方向重複部位において前記本体部の前記収容空間部側に位置し前記第１開口部の鉛直方向に沿った縁部に沿って延在する第４蓋部材側リブと、前記本体部に組み付けられた状態で前記収容空間部の水平方向側方に前記第４蓋部材側リブを介して区画され前記水平方向重複部位を介して前記収容空間部側に侵入した水を鉛直方向下側に誘導する第１誘導通路とを有するものとすることができる。
【００１６】
また、上記電気接続箱では、前記本体部は、前記収容空間部の水平方向側方に第２区画壁を介して区画され前記第２開口部と前記蓋部材との間を介して前記収容空間部側に侵入した水を鉛直方向下側に誘導する第２誘導通路とを有するものとすることができる。
【発明の効果】
【００１７】
本発明に係る電気接続箱は、ブロックに電子部品を組み付けた電子部品ユニットを、第１開口部を介して第１方向に沿って収容空間部に挿入することができる一方、ブロックに組み付けられた電子部品と第２方向に沿って対向する第２開口部を介して当該電子部品に対して作業を行うことができる。そして、電気接続箱は、蓋部材が第２方向に沿って移動することで第１開口部、及び、第２開口部を開閉することができ、すなわち、蓋部材の開閉軌道を第２方向に沿った線状の軌道とすることができるので、蓋部材の開閉に必要とされるスペースを相対的に小さくすることができる。この結果、電気接続箱は、例えば、電気接続箱の周囲に蓋部材を開閉するためのスペースを確保しにくいような場合であっても、内部に収容された部品に対して適正に作業を行うことができる、という効果を奏する。
【図面の簡単な説明】
【００１８】
【図１】図１は、実施形態に係る電気接続箱の概略構成を表す分解斜視図である。
【図２】図２は、実施形態に係る電気接続箱のアッパカバーが開放位置にある状態を表す斜視図である。
【図３】図３は、実施形態に係る電気接続箱のアッパカバーが閉鎖位置にある状態を表す斜視図である。
【図４】図４は、実施形態に係る電気接続箱の第１開口部側を視る側面図である。
【図５】図５は、実施形態に係る電気接続箱の第２開口部側を視る平面図である。
【図６】図６は、実施形態に係る電気接続箱のアッパカバーの概略構成を表す斜視図である。
【図７】図７は、実施形態に係る電気接続箱のロア側ガイド部の概略構成を表す部分斜視図である。
【図８】図８は、実施形態に係る電気接続箱のアッパ側ガイド部の概略構成を表す部分斜視図である。
【図９】図９は、図４に示すＡ−Ａ断面図である。
【図１０】図１０は、図４に示すＢ−Ｂ断面図である。
【図１１】図１１は、図１０に示すＣ−Ｃ断面図である。
【図１２】図１２は、図４に示すＤ−Ｄ断面図である。
【発明を実施するための形態】
【００１９】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００２０】
［実施形態］
図１は、実施形態に係る電気接続箱の概略構成を表す分解斜視図である。図２は、実施形態に係る電気接続箱のアッパカバーが開放位置にある状態を表す斜視図である。図３は、実施形態に係る電気接続箱のアッパカバーが閉鎖位置にある状態を表す斜視図である。図４は、実施形態に係る電気接続箱の第１開口部側を視る側面図である。図５は、実施形態に係る電気接続箱の第２開口部側を視る平面図である。図６は、実施形態に係る電気接続箱のアッパカバーの概略構成を表す斜視図である。図７は、実施形態に係る電気接続箱のロア側ガイド部の概略構成を表す部分斜視図である。図８は、実施形態に係る電気接続箱のアッパ側ガイド部の概略構成を表す部分斜視図である。図９は、図４に示すＡ−Ａ断面図である。図１０は、図４に示すＢ−Ｂ断面図である。図１１は、図１０に示すＣ−Ｃ断面図である。図１２は、図４に示すＤ−Ｄ断面図である。なお、以下の説明では、電子部品としてのヒューズは、図１に１つを実線で図示しており、その他の図示は二点鎖線で図示、あるいは、省略している。
【００２１】
図１等に示す電気接続箱１は、自動車等の車両に搭載され、ワイヤハーネス・電線等の接続処理用部品を構成するコネクタ、ヒューズ、リレー、分岐部、電子制御ユニット等の電装品を集約して内部に収容するものである。電気接続箱１は、例えば、車両のエンジンルームや車体の下方部分に設置され、バッテリ等の電源と、車両内に搭載される各種電子機器との間に接続されている。電気接続箱１は、電源から供給された電力を車両内の各種電子機器に分配する。なお、電気接続箱１は、ジャンクションボックス、ヒューズボックス、リレーボックスなどとも呼ばれる場合があるが、本実施形態ではこれらを総称して電気接続箱と呼ぶ。
【００２２】
そして、本実施形態の電気接続箱１は、蓋部材（アッパカバー７）の開閉軌道を線状の軌道とすることで当該蓋部材の開閉に必要とされるスペースを相対的に小さくし、蓋部材を開閉するためのスペースを確保しにくいような場合であっても、内部に収容された部品に対して適正に作業を行うことができるようにしたものである。
【００２３】
なお、以下の説明では、互いに交差する第１方向、第２方向、及び、第３方向のうち、第１方向を「奥行き方向」といい、第２方向を「高さ方向」といい、第３方向を「幅方向」という。ここでは、第１方向としての奥行き方向と第２方向としての高さ方向と第３方向としての幅方向とは、相互に直交する。また、典型的には、電気接続箱１が車両に搭載された状態で、奥行き方向、及び、幅方向は、水平方向に沿った方向であり、高さ方向は、鉛直方向に沿った方向であるものとして説明する。さらに、高さ方向において鉛直方向上側を「上側」といい、鉛直方向下側を「下側」という。また、以下の説明で用いる各方向は、特に断りの無い限り、電気接続箱１が車両に搭載された状態での方向として説明する。
【００２４】
具体的には、電気接続箱１は、図１、図２、図３に示すように、ブロック５に電子部品４を組み付けた電子部品ユニット２と、中空状に形成され内部に電子部品ユニット２を収容する筐体３とを備える。電気接続箱１は、筐体３の内部の収容空間部６２に、種々の電子部品４を含む電子部品ユニット２が収容される。
【００２５】
電子部品ユニット２は、電子部品４と、ブロック５とを有し、筐体３の内部に収容される。電子部品ユニット２は、電子部品４がブロック５に組み付けられることで構成される。電子部品ユニット２は、収容空間部６２に収容された状態でブロック５に対して電子部品４を高さ方向に沿って着脱可能に構成される。
【００２６】
電子部品４は、例えば、上述したように、コネクタ、ヒューズ、リレー、分岐部、電子制御ユニット、電子部品ユニット等が含まれる。本実施形態の電子部品ユニット２は、複数の電子部品４として少なくともヒューズ４１を含んで構成される。ここでは、電子部品ユニット２は、複数の電子部品４としてヒューズ４１の他、リレー４２も含んで構成される。
【００２７】
ブロック５は、絶縁性の合成樹脂によって形成される。ブロック５は、電子部品４が組み付けられるものであり、当該電子部品４が組み付けられる複数のキャビティ５１が形成されている。ブロック５は、このキャビティ５１の高さ方向上側にヒューズ４１やリレー４２等の電子部品４が嵌合して組み付けられる一方、高さ方向下側にこれら電子部品４と電気的に接続される電線の端子が嵌合して組み付けられる。また、ブロック５は、保持板状部５２を有する。保持板状部５２は、筐体３に保持される部分である。保持板状部５２は、奥行き方向、及び、高さ方向に沿った矩形板状に形成される。保持板状部５２は、ブロック５の幅方向両側に対向して一対で設けられる。一対の保持板状部５２は、奥行き方向に所定の間隔をあけて複数対形成される。なお、ブロック５は、各キャビティ５１を個別に着脱できるように可変拡張部分としてのサブブロックを組み合わせて構成されてもよい。
【００２８】
筐体３は、収容部材としてのロアカバー６と、蓋部材としてのアッパカバー７とを有し、ロアカバー６とアッパカバー７とが組み合わさって全体として直方体箱状に形成される。ロアカバー６とアッパカバー７とは、ともに絶縁性の合成樹脂によって形成される。
【００２９】
ロアカバー６は、図１、図２、図３、図４、図５に示すように、電子部品ユニット２を収容するための主たる部材であり、当該電子部品ユニット２が組み込まれる部分である。具体的には、ロアカバー６は、本体部６１、収容空間部６２、第１開口部６３、及び、第２開口部６４を有する。
【００３０】
本体部６１は、上側壁面６１ａと、下側壁面６１ｂと、側壁面６１ｃ、６１ｄ、６１ｅとを有し、これら上側壁面６１ａ、下側壁面６１ｂ、側壁面６１ｃ、６１ｄ、６１ｅが一体となって中空状に形成される。上側壁面６１ａと下側壁面６１ｂとは、ともに矩形板状に形成されると共に高さ方向に対向し、上側壁面６１ａが高さ方向上側の壁面を構成し、下側壁面６１ｂが高さ方向下側の壁面を構成する。側壁面６１ｃ、６１ｄは、ともに矩形板状に形成されると共に上側壁面６１ａと下側壁面６１ｂとの間で幅方向に対向し、側壁面６１ｃが幅方向一方側の壁面を構成し、側壁面６１ｄが幅方向他方側の壁面を構成する。側壁面６１ｅは、矩形板状に形成されると共に上側壁面６１ａと下側壁面６１ｂとの間で、かつ、側壁面６１ｃと側壁面６１ｄとの間で奥行き方向一方側の壁面を構成する。本体部６１は、上側壁面６１ａ、下側壁面６１ｂ、側壁面６１ｃ、６１ｄ、６１ｅが一体となって第１開口部６３、及び、第２開口部６４が開口した直方体箱状に形成される。本体部６１は、中空状の内部に収容空間部６２が形成される。また、本体部６１は、上側壁面６１ａや側壁面６１ｃ、６１ｄ、６１ｅに収容空間部６２内で電子部品ユニット２を保持するための受け部６１ｆが形成される。受け部６１ｆは、図１、図４等に示すように、ブロック５に形成された保持板状部５２を高さ方向上下に挟持して保持する部分であり、奥行き方向に沿って延在する。受け部６１ｆは、保持板状部５２の数、位置に応じて複数形成される。受け部６１ｆは、電子部品ユニット２を収容空間部６２に奥行き方向に沿って挿入する際のガイドとしても機能する。また、本体部６１は、下側壁面６１ｂに、電子部品４に接続する電線を配索するための挿通口６１ｇが形成されている。挿通口６１ｇは、下側壁面６１ｂから高さ方向下側に突出するようにして形成される半円筒状部６１ｈと、当該半円筒状部６１ｈに対向するようにして組み付けられる半円筒状部分割体６１ｉとによって区画される。
【００３１】
収容空間部６２は、本体部６１の内部に形成され電子部品ユニット２を収容する空間部であり、本体部６１を構成する上側壁面６１ａ、下側壁面６１ｂ、側壁面６１ｃ、６１ｄ、６１ｅによって区画される。収容空間部６２は、上側壁面６１ａによって高さ方向上側が区画され、下側壁面６１ｂによって高さ方向下側が区画され、側壁面６１ｃ、６１ｄによって幅方向両側が区画され、側壁面６１ｅによって奥行き方向一方側が区画される。収容空間部６２は、全体として直方体状に形成される。上述の各受け部６１ｆは、この収容空間部６２内に位置している。電子部品ユニット２は、各受け部６１ｆによって、電子部品４側が高さ方向上側、電線が高さ方向下側となるような位置関係でこの収容空間部６２内に保持される。
【００３２】
第１開口部６３は、本体部６１に形成され当該本体部６１の外部と収容空間部６２とを連通し電子部品ユニット２を奥行き方向（水平方向）に沿って収容空間部６２に挿入可能とするための開口である。第１開口部６３は、典型的には、電子部品ユニット２の設置用の開口である。第１開口部６３は、図４等に示すように、本体部６１の奥行き方向一方側の面、ここでは、側壁面６１ｅと奥行き方向に対向する面の全面に形成される。つまり、第１開口部６３は、鉛直方向に沿って形成される。収容空間部６２、及び、第１開口部６３は、電子部品ユニット２を電線と共に一括して収容空間部６２内に収容できる大きさ及び形状に形成されている。
【００３３】
第２開口部６４は、本体部６１に形成され当該本体部６１の外部と収容空間部６２とを連通し電子部品ユニット２が収容空間部６２に収容された状態でブロック５に組み付けられた電子部品４と高さ方向に沿って対向する開口である。第２開口部６４は、典型的には電子部品４に対する作業用の開口である。第２開口部６４は、図５等に示すように、本体部６１の高さ方向上側の面、ここでは、本体部６１の鉛直方向上側の壁面である上側壁面６１ａの一部に略矩形状に形成される。つまり、第２開口部６４は、水平方向に沿って形成される。そして、本実施形態の第２開口部６４は、電子部品ユニット２が収容空間部６２に収容された状態で電子部品４としての複数のヒューズ４１の直上（高さ方向上側）の領域に形成される。言い換えれば、第２開口部６４は、複数のヒューズ４１が設けられるキャビティ５１を高さ方向に沿って上側壁面６１ａに投影した領域を含む部分に形成される。つまり、第２開口部６４は、高さ方向上側から当該第２開口部６４を介して収容空間部６２を視た際に、ヒューズ４１が組み付けられるキャビティ５１、あるいは、キャビティ５１に組み付けられたヒューズ４１が目視できる位置に形成される。ここでは、第２開口部６４は、幅方向に対しては側壁面６１ｃと側壁面６１ｄとの間のほぼ全体に形成され、奥行き方向に対しては第１開口部６３側から中央部付近までの領域に形成されている。
【００３４】
ここでは、上記第１開口部６３と上記第２開口部６４とは、それぞれ本体部６１において隣接する異なる面に形成されて連続する。つまり、第１開口部６３は、本体部６１において側壁面６１ｅと奥行き方向に対向する面の全面に形成される一方、第２開口部６４は、本体部６１において上側壁面６１ａの第１開口部６３側の部分に形成され、本体部６１の角部にて第１開口部６３と連続する。そして、第１開口部６３の開口方向（第１開口部６３の開口に対する法線方向）は、ほぼ奥行き方向に沿った方向となり、第２開口部６４の開口方向（第２開口部６４の開口に対する法線方向）は、ほぼ高さ方向に沿った方向となり、第１開口部６３の開口方向と第２開口部６４の開口方向は、ほぼ直交する。
【００３５】
なお、上述した電子部品ユニット２は、収容空間部６２に収容された状態で、奥行き方向に対してヒューズ４１が第１開口部６３に位置し、リレー４２が側壁面６１ｅ側に位置するように各電子部品４が組み付けられている。
【００３６】
アッパカバー７は、図１、図２、図３、図６に示すように、ロアカバー６の本体部６１に組み付けられ高さ方向に沿って移動することで、第１開口部６３、及び、第２開口部６４を開閉可能である。つまり、アッパカバー７は、第１開口部６３を介した電子部品ユニット２の挿入方向と直交する方向に沿ってスライド移動することで第１開口部６３、第２開口部６４を開閉する。さらに言い換えれば、アッパカバー７は、ブロック５に対して電子部品４としてのヒューズ４１を着脱する着脱方向に沿った方向にスライド移動することで第１開口部６３、第２開口部６４を開閉する。つまり、アッパカバー７のスライド方向と第１開口部６３を介した電子部品ユニット２の挿入方向とは直交し、アッパカバー７のスライド方向とブロック５に対する電子部品４の着脱方向とは一致する。
【００３７】
アッパカバー７は、第１蓋部７ａと、第２蓋部７ｂと、側壁面７ｃ、７ｄとを有し、これら第１蓋部７ａ、第２蓋部７ｂ、側壁面７ｃ、７ｄが一体となって略Ｌ字型形状に形成される。第１蓋部７ａと第２蓋部７ｂとは、ともに矩形板状に形成されると共に、第１蓋部７ａが奥行き方向一方側の壁面を構成し、第２蓋部７ｂが高さ方向上側の壁面を構成する。第１蓋部７ａと第２蓋部７ｂとは、一体となった状態で幅方向に視て略Ｌ字型形状に形成される。第１蓋部７ａは、幅方向、及び、高さ方向に沿った矩形板状に形成され、第１開口部６３を開閉する部分である。第１蓋部７ａは、幅方向、及び、高さ方向の長さが第１開口部６３より若干大きくなるように形成され、これにより、アッパカバー７がロアカバー６に所定の位置関係で組み付けられた状態で第１開口部６３を覆おうことができる形状、大きさに形成される。第２蓋部７ｂは、幅方向、及び、奥行き方向に沿った矩形板状に形成され、第２開口部６４を開閉する部分である。第２蓋部７ｂは、幅方向、及び、奥行き方向の長さが第１開口部６３より若干大きくなるように形成され、これにより、アッパカバー７がロアカバー６に所定の位置関係で組み付けられた状態で第２開口部６４を覆おうことができる形状、大きさに形成される。側壁面７ｃと側壁面７ｄとは、第１蓋部７ａの幅方向両側に幅方向に対向するように形成される。側壁面７ｃ、７ｄは、奥行き方向の長さが第２蓋部７ｂよりも短く形成される。また、側壁面７ｃ、７ｄは、高さ方向に対して第１蓋部７ａの上端から下端まで延在している。
【００３８】
上記のように構成されるアッパカバー７は、第１蓋部７ａが奥行き方向の第１開口部６３側に位置し、第２蓋部７ｂが高さ方向の上側に位置するような位置関係でロアカバー６に組み付けられる。アッパカバー７とロアカバー６とは、当該アッパカバー７がロアカバー６に組み付けられた状態で、アッパカバー７の各側壁面７ｃ、７ｄが本体部６１の各側壁面６１ｃ、６１ｄの幅方向外側、すなわち、外部側に位置する。アッパカバー７とロアカバー６とは、当該アッパカバー７がロアカバー６に組み付けられた状態で、側壁面７ｃと側壁面６１ｃとが幅方向に対向して当接し、側壁面７ｄと側壁面６１ｄとが幅方向に対向して当接する。そして、アッパカバー７は、ロアカバー６に組み付けられた状態で高さ方向に沿って開放位置と閉鎖位置とに移動可能であり、第１開口部６３、及び、第２開口部６４を開閉可能である。ここで、アッパカバー７の開放位置とは、図２に示すように、第１蓋部７ａが第１開口部６３を開放し第２蓋部７ｂが第２開口部６４を開放する位置である。なお、図２に示す開放位置は、一例として第１開口部６３、第２開口部６４が完全に開放された完全開放位置を例示しているが、これに限らず、例えば、第１開口部６３、第２開口部６４を介した作業等が可能な程度に一部分が開放している位置等も含む概念である。一方、アッパカバー７の閉鎖位置とは、図３に示すように、第１蓋部７ａが第１開口部６３を完全に閉鎖し第２蓋部７ｂが第２開口部６４を完全に閉鎖する位置である。このように電気接続箱１は、アッパカバー７を高さ方向にスライド移動することで第１開口部６３、第２開口部６４を開閉することができる。
【００３９】
ここで、本実施形態の電気接続箱１は、アッパカバー７を高さ方向にスライド移動することで第１開口部６３、第２開口部６４を開閉する構造にあって、さらに、アッパカバー７のスライド移動をガイドするガイド機構８、アッパカバー７をロアカバー６に係止する係止機構９を備えている。
【００４０】
具体的には、図１、図２、図３、図４、図５、図６に示すように、ロアカバー６の本体部６１は、収容部材側ガイド部としてのロア側ガイド部６１ｊ、６１ｋと、収容部材側係合部としてのロア側係合部６１ｌ、６１ｍとを有する。アッパカバー７は、蓋部材側ガイド部としてのアッパ側ガイド部７ｅ、７ｆと、蓋部材側係合部としてのアッパ側係合部７ｇ、７ｈとを有する。
【００４１】
ロア側ガイド部６１ｊ、６１ｋとアッパ側ガイド部７ｅ、７ｆとは、図７、図８、図９等に示すように、互いに係合することで、ロアカバー６に対するアッパカバー７の高さ方向に沿ったスライド移動をガイドするガイド機構８を構成する。ロア側ガイド部６１ｊ、６１ｋは、本体部６１において第１開口部６３の高さ方向に沿った縁部に沿って形成される（図１、図２、図４等も参照）。ロア側ガイド部６１ｊ、６１ｋは、第１開口部６３の幅方向両側、ここでは、側壁面６１ｃ、６１ｄの第１開口部６３側の縁部にそれぞれ形成される。ロア側ガイド部６１ｊ、６１ｋは、それぞれ側壁面６１ｃ、６１ｄから凸部状に形成される部分である。ロア側ガイド部６１ｊ、６１ｋは、それぞれ側壁面６１ｃ、６１ｄから幅方向に突出した基部６１ｎと、基部６１ｎの先端から奥行き方向の側壁面６１ｅ側に延在する突起部６１ｏとを含んで構成される。すなわち、ロア側ガイド部６１ｊ、６１ｋは、基部６１ｎと突起部６１ｏとが奥行き方向に沿った断面視（図９参照）にて略Ｌ字型となるように形成される。ロア側ガイド部６１ｊ、６１ｋは、側壁面６１ｃ、６１ｄの高さ方向下端部から高さ方向中央部近傍まで高さ方向に沿って延在して形成される。アッパ側ガイド部７ｅ、７ｆは、アッパカバー７に形成され、それぞれロア側ガイド部６１ｊ、６１ｋと係合し高さ方向に沿って案内される部分である。アッパ側ガイド部７ｅ、７ｆは、それぞれ側壁面７ｃ、７ｄに高さ方向に沿って形成される。アッパ側ガイド部７ｅ、７ｆは、それぞれ側壁面７ｃ、７ｄの内側の面（側壁面６１ｃ、６１ｄと対向する面）に、ロア側ガイド部６１ｊ、６１ｋを挿入可能な凹部状の部分として形成される。アッパ側ガイド部７ｅ、７ｆは、奥行き方向に沿った断面視（図９参照）にて幅方向の外側に窪んだ形状で、かつ、高さ方向に沿って形成されるガイド壁面７ｉによって区画されることで奥行き方向の側壁面６１ｅ側にも窪んだ形状に形成される。言い換えれば、アッパ側ガイド部７ｅ、７ｆは、それぞれ側壁面７ｃ、７ｄとガイド壁面７ｉとによって構成される。ガイド壁面７ｉは、ロア側ガイド部６１ｊ、６１ｋを構成する凹部の奥行き方向の側壁面６１ｅ側の壁面から奥行き方向に沿って第１蓋部７ａに突出するように形成される。アッパ側ガイド部７ｅ、７ｆは、側壁面６１ｃ、６１ｄの高さ方向下端部から高さ方向中央部近傍まで延在して形成されると共に、側壁面６１ｃ、６１ｄの高さ方向下端部で開口している。
【００４２】
上記のように構成されるガイド機構８は、アッパ側ガイド部７ｅ、７ｆの高さ方向下端部の開口からロア側ガイド部６１ｊ、６１ｋの先端部が挿入される。そして、ガイド機構８は、アッパ側ガイド部７ｅ、７ｆ内に挿入されたロア側ガイド部６１ｊ、６１ｋの各突起部６１ｏがそれぞれ側壁面７ｃ、７ｄとガイド壁面７ｉとによって保持された状態で、ロアカバー６に対するアッパカバー７の高さ方向に沿ったスライド移動をガイドする。
【００４３】
なお、上記のように構成されるロア側ガイド部６１ｊ、６１ｋとアッパ側ガイド部７ｅ、７ｆとは、幅方向に重なるように構成される。ここでは、図９に示すように、ロア側ガイド部６１ｊとアッパ側ガイド部７ｅとは、幅方向に対して、外側から収容空間部６２側に向かって、側壁面７ｃ、突起部６１ｏ、ガイド壁面７ｉの順で重なる。同様に、ロア側ガイド部６１ｋとアッパ側ガイド部７ｆとは、幅方向に対して、外部側から収容空間部６２側に向かって、側壁面７ｄ、突起部６１ｏ、ガイド壁面７ｉの順で重なる。これにより、このガイド機構８は、ロア側ガイド部６１ｊ、６１ｋとアッパ側ガイド部７ｅ、７ｆとが互い違いに入り組んだ迷路状の構造を構成し、ロア側ガイド部６１ｊ、６１ｋとアッパ側ガイド部７ｅ、７ｆとの隙間を介して外部側から収容空間部６２側に水が浸入することを抑制している。
【００４４】
また、ガイド機構８は、ロア側ガイド部６１ｊ、６１ｋの高さ方向上側の端部、及び、アッパ側ガイド部７ｅ、７ｆの高さ方向下側の端部に、それぞれ、アッパ側ガイド部７ｅ、７ｆの高さ方向下端部の開口からロア側ガイド部６１ｊ、６１ｋの先端部を挿入する際の当該先端部の拾い部として機能するテーパ６１ｐ、７ｊ（図７、図８参照）が形成されている。テーパ６１ｐは、ロア側ガイド部６１ｊ、６１ｋの各突起部６１ｏの奥行き方向の側壁面６１ｅ側の端面に形成される。テーパ７ｊは、アッパ側ガイド部７ｅ、７ｆの各ガイド壁面７ｉの奥行き方向の第１蓋部７ａ側の端面に形成される。
【００４５】
ロア側係合部６１ｌ、６１ｍとアッパ側係合部７ｇ、７ｈとは、図１、図２、図３、図４、図５、図６に示すように、互いに係合することでロアカバー６に対してアッパカバー７を係止する係止機構９を構成する。ロア側係合部６１ｌ、６１ｍは、本体部６１において第２開口部６４を挟んで対向する位置に一対で形成される。ここでは、ロア側係合部６１ｌ、６１ｍは、幅方向に対して第２開口部６４を挟んで対向する位置に形成される。また、ロア側係合部６１ｌは、本体部６１の側壁面６１ｃの高さ方向上側の端部に形成される。ロア側係合部６１ｍは、本体部６１の側壁面６１ｄの高さ方向上側の端部に形成される。ロア側係合部６１ｌ、６１ｍは、例えば、爪状に形成された部分を有する。アッパ側係合部７ｇ、７ｈは、アッパカバー７が第１開口部６３、及び、第２開口部６４を閉鎖した状態でアッパカバー７においてロア側係合部６１ｌ、６１ｍと係合するように一対で形成される。ここでは、アッパ側係合部７ｇ、７ｈは、幅方向に対して第２蓋部７ｂを挟んで対向する位置に形成される。また、アッパ側係合部７ｇは、アッパカバー７の側壁面７ｃの高さ方向上側の端部に形成される。アッパ側係合部７ｈは、アッパカバー７の側壁面７ｄの高さ方向上側の端部に形成される。アッパ側係合部７ｇ、７ｈは、例えば、爪状に形成された部分を有する。
【００４６】
上記のように構成される係止機構９は、アッパカバー７が高さ方向に沿って閉鎖位置にスライド移動すると、アッパ側係合部７ｇとロア側係合部６１ｌとが係合しアッパ側係合部７ｈとロア側係合部６１ｍとが係合する。この結果、係止機構９は、アッパカバー７をロアカバー６に対して閉鎖位置で係止することができる。
【００４７】
さらに、本実施形態の電気接続箱１は、各種の防水／排水構造も備えている。
【００４８】
具体的には、電気接続箱１は、図１、図３、図５、図６、図１０、図１１等に示すように、アッパカバー７とロアカバー６とが鉛直方向重複部位１０（図３、図１０等参照）を有し、当該鉛直方向重複部位１０の近傍に、第１蓋部材側リブとしての第１アッパ側止水リブ７ｋ、第２蓋部材側リブとしての第２アッパ側止水リブ７ｌ、第３蓋部材側リブとしての第３アッパ側止水リブ７ｍ、第１収容部材側リブとしての第１ロア側止水リブ６１ｑ、第２収容部材側リブとしての第２ロア側止水リブ６１ｒが設けられている。
【００４９】
鉛直方向重複部位１０は、アッパカバー７とロアカバー６とにおいて、アッパカバー７がロアカバー６の本体部６１に組み付けられた状態で第２開口部６４の縁部に沿ってアッパカバー７が鉛直方向上側、ロアカバー６が鉛直方向下側に位置して鉛直方向に重なる部位である。ここでは、鉛直方向重複部位１０は、アッパカバー７の第２蓋部７ｂとロアカバー６の上側壁面６１ａとが第２開口部６４の縁部に沿って鉛直方向に重なることで略コの字型（あるいは略Ｕの字型）に形成される（図３、図１０等参照）。
【００５０】
第１アッパ側止水リブ７ｋ、第２アッパ側止水リブ７ｌ、第３アッパ側止水リブ７ｍは、それぞれアッパカバー７の第２蓋部７ｂの高さ方向下側の面、言い換えれば、第２開口部６４と高さ方向に対向する面に形成される。第１アッパ側止水リブ７ｋは、鉛直方向重複部位１０において第２蓋部７ｂの高さ方向下側の面から鉛直方向下側に突出し第２開口部６４の縁部に沿って延在する（図６、図１０等参照）。第１アッパ側止水リブ７ｋは、第２蓋部７ｂの幅方向両側の縁部、及び、奥行き方向の側壁面６１ｅ側の縁部に略コの字型（あるいは略Ｕの字型）に形成される。第２アッパ側止水リブ７ｌは、アッパカバー７がロアカバー６に組み付けられ閉鎖位置にある状態で、鉛直方向重複部位１０において第１アッパ側止水リブ７ｋより第２開口部６４の内側に位置し第２蓋部７ｂの高さ方向下側の面から鉛直方向下側に突出して第２開口部６４の縁部に沿って延在する（図６、図１０、図１１等参照）。第２アッパ側止水リブ７ｌは、第２蓋部７ｂの幅方向両側の縁部、及び、奥行き方向の側壁面６１ｅ側の縁部に沿って、第１アッパ側止水リブ７ｋよりも若干小さい略コの字型（あるいは略Ｕの字型）に形成される。第２アッパ側止水リブ７ｌは、鉛直方向下側への突出量が第１アッパ側止水リブ７ｋの鉛直方向下側への突出量より大きくなるように形成される。第３アッパ側止水リブ７ｍは、アッパカバー７がロアカバー６に組み付けられ閉鎖位置にある状態で、第２アッパ側止水リブ７ｌよりさらに第２開口部６４の内側に位置し第２蓋部７ｂの高さ方向下側の面から鉛直方向下側に突出して第２開口部６４の縁部に沿って延在する（図６、図１０、図１１等参照）。ここでは、第３アッパ側止水リブ７ｍは、鉛直方向重複部位１０からやや外れた位置に形成される。第３アッパ側止水リブ７ｍは、第２蓋部７ｂの幅方向両側の縁部、及び、奥行き方向の側壁面６１ｅ側の縁部に沿って、第２アッパ側止水リブ７ｌよりもさらに小さい略コの字型（あるいは略Ｕの字型）に形成される。第３アッパ側止水リブ７ｍは、鉛直方向下側への突出量が第２アッパ側止水リブ７ｌの鉛直方向下側への突出量よりさらに大きくなるように形成される。第１アッパ側止水リブ７ｋ、第２アッパ側止水リブ７ｌ、第３アッパ側止水リブ７ｍは、略コの字型（あるいは略Ｕの字型）の両端部にて互いに連結され閉塞端部を構成する。
【００５１】
第１ロア側止水リブ６１ｑは、第２開口部６４が形成された本体部６１の鉛直方向上側の壁面である上側壁面６１ａの高さ方向上側の面に形成される。第１ロア側止水リブ６１ｑは、鉛直方向重複部位１０において上側壁面６１ａの高さ方向上側の面から鉛直方向上側に突出し第２開口部６４の縁部に沿って延在すると共に、アッパカバー７がロアカバー６に組み付けられ閉鎖位置にある状態で、第１アッパ側止水リブ７ｋと第２アッパ側止水リブ７ｌとの間に位置する（図１、図５、図１０等参照）。第１ロア側止水リブ６１ｑは、上側壁面６１ａに形成された第２開口部６４の幅方向両側の縁部、及び、奥行き方向の側壁面６１ｅ側の縁部に沿って略コの字型（あるいは略Ｕの字型）に形成される。第２ロア側止水リブ６１ｒは、ロアカバー６の本体部６１に形成される第１区画壁６１ｓの高さ方向上側の面に形成される。第２ロア側止水リブ６１ｒは、鉛直方向重複部位１０において第１区画壁６１ｓの高さ方向上側の面から鉛直方向上側に突出し第２開口部６４の縁部に沿って延在すると共に、アッパカバー７がロアカバー６に組み付けられ閉鎖位置にある状態で、第２アッパ側止水リブ７ｌと第３アッパ側止水リブ７ｍとの間に位置する（図１、図５、図１０、図１１等参照）。第２ロア側止水リブ６１ｒは、上側壁面６１ａに形成された第２開口部６４の幅方向両側の縁部、及び、奥行き方向の側壁面６１ｅ側の縁部に沿って第１ロア側止水リブ６１ｑより小さい略コの字型（あるいは略Ｕの字型）に形成される。ここでは、第２ロア側止水リブ６１ｒは、先端部が奥行き方向の側壁面６１ｅに屈曲している。第１ロア側止水リブ６１ｑ、第２ロア側止水リブ６１ｒは、略コの字型（あるいは略Ｕの字型）の両端部にて互いに連結され閉塞端部を構成する。
【００５２】
したがって、電気接続箱１は、鉛直方向重複部位１０の近傍に設けられた第１アッパ側止水リブ７ｋ、第２アッパ側止水リブ７ｌと第１ロア側止水リブ６１ｑとが奥行き方向に重なり互い違いに入り組んだ第１の迷路状の構造を構成し、さらに第２アッパ側止水リブ７ｌ、第３アッパ側止水リブ７ｍと第２ロア側止水リブ６１ｒとが奥行き方向に重なり互い違いに入り組んだ第２の迷路状の構造を構成する。これにより、電気接続箱１は、アッパカバー７の第２蓋部７ｂとロアカバー６の上側壁面６１ａとの隙間を介して外部側から収容空間部６２側に水が浸入することを抑制している。
【００５３】
ここで、ロアカバー６の本体部６１に形成される上記第１区画壁６１ｓは、図１０、図１１等に示すように、収容空間部６２の鉛直方向上側に排水通路６１ｔを区画するものである。第１区画壁６１ｓは、矩形板状に形成される。第１区画壁６１ｓは、高さ方向に対して上側壁面６１ａの下側に当該上側壁面６１ａと所定の間隔をあけて形成される。第１区画壁６１ｓは、奥行き方向に対して第２開口部６４と側壁面６１ｅとの間に延在するようにして形成される。排水通路６１ｔは、収容空間部６２の鉛直方向上側に当該第１区画壁６１ｓを介して区画される。排水通路６１ｔは、図１、図１０、図１１等に示すように、奥行き方向の一端が第１ロア側止水リブ６１ｑと第２ロア側止水リブ６１ｒとの隙間に連通し、他端が本体部６１の外部、ここでは奥行き方向の側壁面６１ｅに開口する。これにより、排水通路６１ｔは、第１ロア側止水リブ６１ｑより第２開口部６４の内側に侵入した水を本体部６１の外部に排出する流路として機能する。ここでは、排水通路６１ｔは、上側壁面６１ａと第１区画壁６１ｓとの間に奥行き方向に沿って形成される補強リブ６１ｕ（図１１参照）で３つの通路に分割されているがこれに限らない。
【００５４】
なお、排水通路６１ｔは、上述したように、本体部６１の鉛直方向上側の壁面である上側壁面６１ａと第１区画壁６１ｓとによって区画され水平方向に沿って延在する。そして、本実施形態の本体部６１は、図１０に示すように、排水通路６１ｔの外部側の開口において第１区画壁６１ｓを挟んで鉛直方向下側に形成される返し凹部６１ｔ’を有することで、外部側からの水の跳ね返りが排水通路６１ｔの開口に侵入することを抑制している。
【００５５】
またここでは、第３アッパ側止水リブ７ｍは、上述したように鉛直方向重複部位１０からやや外れた位置に形成され、これにより、収容空間部６２内に露出する。そして、第３アッパ側止水リブ７ｍは、鉛直方向下端部が収容空間部６２に収容された電子部品ユニット２の電子部品４から外れた滴下許容位置の鉛直方向上側に位置するように形成される。ここでは、第３アッパ側止水リブ７ｍは、鉛直方向下端部が電子部品４としてのヒューズ４１と電子部品４としてのリレー４２との間の鉛直方向上側に位置する。つまりここでは、電子部品４から外れた滴下許容位置は、ヒューズ４１とリレー４２との間の位置である。これにより、電気接続箱１は、万が一、第２ロア側止水リブ６１ｒを越えて収容空間部６２側に水が浸入した場合であっても、当該侵入した水の滴下位置を電子部品４から外れた滴下許容位置にコントロールすることができる。
【００５６】
さらに、電気接続箱１は、図３、図９、図１２等に示すように、アッパカバー７とロアカバー６とが水平方向重複部位１１を有し、当該水平方向重複部位１１の近傍に、第４蓋部材側リブとしての第４アッパ側止水リブ７ｎ、第１誘導通路７ｏ等が設けられている。
【００５７】
水平方向重複部位１１は、アッパカバー７とロアカバー６とにおいて、アッパカバー７がロアカバー６に組み付けられた状態で第１開口部６３の鉛直方向に沿った縁部に沿ってアッパカバー７が本体部６１の外部側に位置して水平方向に重なる部位である。ここでは、水平方向重複部位１１は、アッパカバー７の側壁面７ｃ、７ｄとロアカバー６の各側壁面６１ｃ、６１ｄとがそれぞれ第１開口部６３の鉛直方向に沿った縁部に沿って重なることで電気接続箱１の幅方向両側に直線状に一対で形成される。なお、上述したロア側ガイド部６１ｊ、６１ｋ、アッパ側ガイド部７ｅ、７ｆもこの水平方向重複部位１１の一部を構成する。
【００５８】
第４アッパ側止水リブ７ｎは、各水平方向重複部位１１にそれぞれ設けられる。各第４アッパ側止水リブ７ｎは、それぞれアッパカバー７の第１蓋部７ａの奥行き方向内側の面、すなわち、収容空間部６２と対向する面の各側壁面６１ｃ、６１ｄの近傍に形成される。各第４アッパ側止水リブ７ｎは、アッパカバー７がロアカバー６の本体部６１に組み付けられ閉鎖位置にある状態で、各水平方向重複部位１１において本体部６１の収容空間部６２側に位置し第１開口部６３の鉛直方向に沿った縁部に沿って延在する。各第４アッパ側止水リブ７ｎは、各水平方向重複部位１１において第１蓋部７ａの奥行き方向内側の面から奥行き方向の側壁面６１ｅに突出し高さ方向に延在する。各第４アッパ側止水リブ７ｎは、幅方向に側壁面６１ｃ、６１ｄ、側壁面７ｃ、７ｄと重なるように構成される。ここでは、図１２に示すように、ロアカバー６とアッパカバー７とは、一方の水平方向重複部位１１において、幅方向に対して、外側から収容空間部６２側に向かって、側壁面７ｃ、側壁面６１ｃ、第４アッパ側止水リブ７ｎの順で重なる。同様に、ロアカバー６とアッパカバー７とは、他方の水平方向重複部位１１において、幅方向に対して、外側から収容空間部６２側に向かって、側壁面７ｄ、側壁面６１ｄ、第４アッパ側止水リブ７ｎの順で重なる。これにより、電気接続箱１は、ロアカバー６とアッパカバー７との水平方向重複部位１１において、各第４アッパ側止水リブ７ｎ、側壁面７ｃ、７ｄと側壁面６１ｃ、６１ｄとが互い違いに入り組んだ迷路状の構造を構成し、側壁面７ｃ、７ｄと側壁面６１ｃ、６１ｄとの隙間を介して外部側から収容空間部６２側に水が浸入することを抑制している。
【００５９】
第１誘導通路７ｏは、各水平方向重複部位１１にそれぞれ形成される。各第１誘導通路７ｏは、アッパカバー７がロアカバー６の本体部６１に組み付けられ閉鎖位置にある状態で、収容空間部６２の水平方向側方に上述の各第４アッパ側止水リブ７ｎを介して区画され水平方向重複部位１１の側壁面７ｃ、７ｄと側壁面６１ｃ、６１ｄとの隙間を介して収容空間部６２側に侵入した水を鉛直方向下側に誘導する流路である。各第１誘導通路７ｏは、各第４アッパ側止水リブ７ｎと側壁面６１ｃ、６１ｄとによって区画され高さ方向に延在する。これにより、電気接続箱１は、万が一、側壁面７ｃ、７ｄと側壁面６１ｃ、６１ｄとの隙間を介して外部側から収容空間部６２側に水が浸入した場合であっても、当該侵入した水を鉛直方向下側に誘導することで当該侵入した水が収容空間部６２に収容された電子部品ユニット２側に移動し付着することを抑制している。
【００６０】
なお、電気接続箱１は、さらに、図１２に示すように、本体部６１の側壁面６１ｃ、６１ｄ近傍にてそれぞれブロック５の保持板状部５２を幅方向に挟持するようにリブ６１ｖ、リブ６１ｗが形成されている。各リブ６１ｖ、各リブ６１ｗは、奥行き方向に沿って延在する。各第４アッパ側止水リブ７ｎは、幅方向に対して各リブ６１ｖと各リブ６１ｗとの間に位置し、各リブ６１ｗは、奥行き方向に対して各第４アッパ側止水リブ７ｎの近傍まで延設されている。これにより、電気接続箱１は、各リブ６１ｖ、各リブ６１ｗと各第４アッパ側止水リブ７ｎとが協働して、万が一、側壁面７ｃ、７ｄと側壁面６１ｃ、６１ｄとの隙間を介して外部側から収容空間部６２側に水が浸入した場合であっても、当該侵入した水が収容空間部６２に収容された電子部品ユニット２側に回り込み付着することを抑制している。
【００６１】
さらに、電気接続箱１は、図１、図２、図４に示すように、ロアカバー６の本体部６１が第２区画壁６１ｘと、第２誘導通路６１ｙとを有する。第２区画壁６１ｘ、第２誘導通路６１ｙは、本体部６１の幅方向両側に設けられる。各第２区画壁６１ｘ、各第２誘導通路６１ｙは、電子部品ユニット２が保持される部位よりも高さ方向上側に形成される。各第２区画壁６１ｘは、収容空間部６２の水平方向側方に各第２誘導通路６１ｙを区画するものである。各第２区画壁６１ｘは、矩形板状に形成される。各第２区画壁６１ｘは、幅方向に対して各側壁面６１ｃ、６１ｄの内側（すなわち、収容空間部６２側）に当該各側壁面６１ｃ、６１ｄと所定の間隔をあけて形成される。各第２区画壁６１ｘは、奥行き方向、及び、高さ方向に延在し形成される。各第２誘導通路６１ｙは、収容空間部６２の水平方向側方に各第２区画壁６１ｘを介して区画される。より詳細には、各第２誘導通路６１ｙは、各第２区画壁６１ｘと各側壁面６１ｃ、６１ｄとによって区画される。各第２誘導通路６１ｙは、第２開口部６４とアッパカバー７との間を介して収容空間部６２側に侵入した水を鉛直方向下側に誘導する流路として機能する。これにより、電気接続箱１は、万が一、第２開口部６４とアッパカバー７との間を介して外部側から収容空間部６２側に水が浸入した場合であっても、当該侵入した水を鉛直方向下側に誘導することで当該侵入した水が収容空間部６２に収容された電子部品ユニット２側に移動し付着することを抑制している。
【００６２】
なお、各第１誘導通路７ｏ、各第２誘導通路６１ｙ等を介して鉛直方向下側に誘導された水は、例えば、自重で下側壁面６１ｂ上に落下し、当該下側壁面６１ｂに形成された挿通口６１ｇ等を介して本体部６１の外部に排出される。
【００６３】
上記のように構成される電気接続箱１は、ブロック５に電子部品４を組み付けることで電子部品ユニット２が構成され、当該電子部品ユニット２が第１開口部６３を介してロアカバー６の収容空間部６２に挿入される。このとき、電子部品ユニット２は、ブロック５の各保持板状部５２を第１開口部６３から各受け部６１ｆに挿入するようにして奥行き方向に沿ってスライド挿入され、各受け部６１ｆによって収容空間部６２に保持される。そして、電気接続箱１は、電子部品ユニット２の高さ方向下側から延在する電線を挿通口６１ｇに挿通させた後、半円筒状部分割体６１ｉが組み付けられる。このように電気接続箱１は、電子部品ユニット２の各保持板状部５２が各受け部６１ｆによって高さ方向の上下に挟持されて保持されることで、鉛直方向（高さ方向）に対するガタツキを低減しやすい構造とすることができる。例えば、電気接続箱１は、車両に搭載した場合、鉛直方向に沿った振動が相対的に大きくなる傾向にあるが、上記のように鉛直方向に対するガタツキを低減しやすい構造とすることができるので、電子部品ユニット２を適正に保持しておくことができる。
【００６４】
そして、電気接続箱１は、アッパカバー７のアッパ側ガイド部７ｅ、７ｆの高さ方向下端部の開口にロアカバー６のロア側ガイド部６１ｊ、６１ｋの先端部を挿入するようにしてアッパカバー７がロアカバー６に組み付けられる。そして、アッパカバー７は、アッパ側ガイド部７ｅ、７ｆがロア側ガイド部６１ｊ、６１ｋにガイドされながら高さ方向に沿って開放位置と閉鎖位置とにスライド移動することができる。電気接続箱１は、アッパカバー７が閉鎖位置に位置した状態で、第１開口部６３、第２開口部６４が閉鎖され、電子部品ユニット２を収容している収容空間部６２が外部に対して閉鎖された空間となる。一方、電気接続箱１は、アッパカバー７が開放位置に位置した状態で、第２開口部６４を介してキャビティ５１に組み付けられた電子部品４としてのヒューズ４１を高さ方向上側から目視し、当該ヒューズ４１に対する作業が可能な状態となり、例えば、第２開口部６４を介して当該ヒューズ４１を交換することができる。つまり、電気接続箱１は、上記のように、アッパカバー７のスライド方向と第１開口部６３を介した電子部品ユニット２の挿入方向とが直交し、アッパカバー７のスライド方向とブロック５に対する電子部品４の着脱方向とが一致する。
【００６５】
以上で説明した電気接続箱１によれば、ブロック５に電子部品４を組み付けた電子部品ユニット２と、中空状に形成される本体部６１、本体部６１の内部に形成され電子部品ユニット２を収容する収容空間部６２、本体部６１に形成され当該本体部６１の外部と収容空間部６２とを連通し電子部品ユニット２を奥行き方向に沿って収容空間部６２に挿入可能とする第１開口部６３、及び、本体部６１に形成され当該本体部６１の外部と収容空間部６２とを連通し電子部品ユニット２が収容空間部６２に収容された状態でブロック５に組み付けられた電子部品４と奥行き方向と交差する高さ方向に沿って対向する第２開口部６４を有するロアカバー６と、本体部６１に組み付けられ高さ方向に沿って移動することで第１開口部６３、及び、第２開口部６４を開閉可能であるアッパカバー７とを備える。
【００６６】
したがって、電気接続箱１は、ブロック５に電子部品４を組み付けた電子部品ユニット２を、第１開口部６３を介して奥行き方向に沿って収容空間部６２に挿入することができる一方、ブロック５に組み付けられた電子部品４と高さ方向に沿って対向する第２開口部６４を介して当該電子部品４に対して作業を行うことができる。そして、電気接続箱１は、アッパカバー７が高さ方向に沿って移動することで第１開口部６３、及び、第２開口部６４を開閉することができ、すなわち、アッパカバー７の開閉軌道を高さ方向に沿った線状の軌道とすることができるので、アッパカバー７の開閉に必要とされるスペースを相対的に小さくすることができる。この結果、電気接続箱１は、例えば、電気接続箱１の周囲にアッパカバー７を開閉するためのスペースを確保しにくいような場合であっても、内部に収容された電子部品４に対して適正に作業を行うことができる。これにより、電気接続箱１は、例えば、電子部品４の交換等を容易に行うことができ、メンテナンス時の作業性を向上することができる。
【００６７】
また、電気接続箱１は、電子部品ユニット２を、第１開口部６３を介して奥行き方向に沿って収容空間部６２に挿入すると共に、アッパカバー７を電子部品ユニット２の挿入方向と交差する方向に移動させることで開閉する構成であることから、例えば、アッパカバー７の開閉時に電線の噛み込みが発生することを抑制することができる。
【００６８】
さらに、以上で説明した電気接続箱１によれば、電子部品ユニット２は、収容空間部６２に収容された状態でブロック５に対して電子部品４を高さ方向に沿って着脱可能である。しがたって、電気接続箱１は、電子部品４と高さ方向に対向する第２開口部６４を介して、当該電子部品４を高さ方向に沿って着脱することができるので、電子部品４の着脱時の作業性を向上することができる。
【００６９】
さらに、以上で説明した電気接続箱１によれば、第１開口部６３と第２開口部６４とは、それぞれ本体部６１において隣接する異なる面に形成されて連続する。したがって、電気接続箱１は、第１開口部６３と第２開口部６４とが本体部６１において異なる面に連続して形成されることで、アッパカバー７を高さ方向に移動させることで第１開口部６３と第２開口部６４とが同時に開閉される構成を、よりコンパクトに構成することができる。
【００７０】
さらに、以上で説明した電気接続箱１によれば、アッパカバー７は、第１開口部６３を開閉する第１蓋部７ａと、第２開口部６４を開閉する第２蓋部７ｂとを有し、第１蓋部７ａが第１開口部６３を開放し第２蓋部７ｂが第２開口部６４を開放する開放位置と第１蓋部７ａが第１開口部６３を閉鎖し第２蓋部７ｂが第２開口部６４を閉鎖する閉鎖位置とに高さ方向に沿って移動可能である。したがって、電気接続箱１は、アッパカバー７が閉鎖位置に移動することで、第１蓋部７ａ、第２蓋部７ｂによって第１開口部６３、第２開口部６４を閉鎖し、電子部品ユニット２を収容している収容空間部６２を外部に対して閉鎖された空間とすることができる。一方、電気接続箱１は、アッパカバー７が開放位置に移動することで、第２開口部６４を介してキャビティ５１に組み付けられた電子部品４を高さ方向上側から目視し、当該電子部品４に対する作業が可能な状態とすることができる。
【００７１】
さらに、以上で説明した電気接続箱１によれば、第２開口部６４は、本体部６１の鉛直方向上側の上側壁面６１ａに形成され、アッパカバー７と本体部６１とは、アッパカバー７が本体部６１に組み付けられた状態で第２開口部６４の縁部に沿ってアッパカバー７が鉛直方向上側、本体部６１が鉛直方向下側に位置して鉛直方向に重なる鉛直方向重複部位１０を有し、アッパカバー７は、鉛直方向重複部位１０において鉛直方向下側に突出し第２開口部６４の縁部に沿って延在する第１アッパ側止水リブ７ｋと、本体部６１に組み付けられた状態で鉛直方向重複部位１０において第１アッパ側止水リブ７ｋより第２開口部６４の内側に位置し鉛直方向下側に突出して第２開口部６４の縁部に沿って延在する第２アッパ側止水リブ７ｌとを有し、本体部６１は、鉛直方向重複部位１０において鉛直方向上側に突出し第２開口部６４の縁部に沿って延在すると共にアッパカバー７が組み付けられた状態で第１アッパ側止水リブ７ｋと第２アッパ側止水リブ７ｌとの間に位置する第１ロア側止水リブ６１ｑと、収容空間部６２の鉛直方向上側に第１区画壁６１ｓを介して区画され第１ロア側止水リブ６１ｑより第２開口部６４の内側に侵入した水を本体部６１の外部に排出する排水通路６１ｔとを有する。したがって、電気接続箱１は、鉛直方向重複部位１０の近傍に設けられた第１アッパ側止水リブ７ｋ、第２アッパ側止水リブ７ｌと第１ロア側止水リブ６１ｑとが奥行き方向に重なり互い違いに入り組んだ迷路状の構造を構成するので、アッパカバー７とロアカバー６との隙間を介して外部側から収容空間部６２側に水が浸入することを抑制することができる。そして、電気接続箱１は、万が一、第１ロア側止水リブ６１ｑを乗り越えて第２開口部６４の内側に水が侵入した場合であっても、排水通路６１ｔによって第２開口部６４の内側に侵入した水を本体部６１の外部に排出することができる。これにより、電気接続箱１は、仮に第２開口部６４の内側に水が侵入した場合であっても、当該侵入した水が電子部品４にかからないようにすることができる。
【００７２】
さらに、以上で説明した電気接続箱１によれば、第１ロア側止水リブ６１ｑは、第２開口部６４が形成された本体部６１の鉛直方向上側の上側壁面６１ａに形成され、排水通路６１ｔは、本体部６１の鉛直方向上側の上側壁面６１ａと第１区画壁６１ｓとによって区画され水平方向に沿って延在し、本体部６１は、排水通路６１ｔの外部側の開口において第１区画壁６１ｓを挟んで鉛直方向下側に形成される返し凹部６１ｔ’を有する。したがって、電気接続箱１は、返し凹部６１ｔ’をによって、外部側からの水の跳ね返りが排水通路６１ｔの開口に侵入することを抑制することができ、水が排水通路６１ｔを介して収容空間部６２側に逆流することを抑制することができる。
【００７３】
さらに、以上で説明した電気接続箱１によれば、アッパカバー７は、本体部６１に組み付けられた状態で第２アッパ側止水リブ７ｌより第２開口部６４の内側に位置し鉛直方向下側に突出して第２開口部６４の縁部に沿って延在する第３アッパ側止水リブ７ｍを有し、本体部６１は、鉛直方向重複部位１０において鉛直方向上側に突出し第２開口部６４の縁部に沿って延在すると共にアッパカバー７が組み付けられた状態で第２アッパ側止水リブ７ｌと第３アッパ側止水リブ７ｍとの間に位置する第２ロア側止水リブ６１ｒを有し、第３アッパ側止水リブ７ｍは、鉛直方向下端部が収容空間部６２に収容された電子部品ユニット２の電子部品４から外れた滴下許容位置の鉛直方向上側に位置する。したがって、電気接続箱１は、鉛直方向重複部位１０の近傍に設けられた第２アッパ側止水リブ７ｌ、第３アッパ側止水リブ７ｍと第２ロア側止水リブ６１ｒとが奥行き方向に重なり互い違いに入り組んだ迷路状の構造を構成するので、アッパカバー７とロアカバー６との隙間を介して外部側から収容空間部６２側に水が浸入することを抑制することができる。そして、電気接続箱１は、万が一、第２ロア側止水リブ６１ｒを越えて収容空間部６２側に水が浸入した場合であっても、当該侵入した水の滴下位置を電子部品４から外れた滴下許容位置にコントロールすることができる。この結果、電気接続箱１は、侵入した水が電子部品４にかからないようにすることができる。
【００７４】
さらに、以上で説明した電気接続箱１によれば、本体部６１は、第１開口部６３の高さ方向に沿った縁部に沿って形成されるロア側ガイド部６１ｊ、６１ｋと、第２開口部６４を挟んで対向する位置に形成される一対のロア側係合部６１ｌ、６１ｍとを有し、アッパカバー７は、ロア側ガイド部６１ｊ、６１ｋと係合し高さ方向に沿って案内されるアッパ側ガイド部７ｅ、７ｆと、当該アッパカバー７が第１開口部６３、及び、第２開口部６４を閉鎖した状態で一対のロア側係合部６１ｌ、６１ｍと係合する一対のアッパ側係合部７ｇ、７ｈとを有する。したがって、電気接続箱１は、ロア側ガイド部６１ｊ、６１ｋによってアッパ側ガイド部７ｅ、７ｆがガイドされることでロアカバー６に対するアッパカバー７の高さ方向に沿ったスライド移動を円滑にガイドすることができる。そして、電気接続箱１は、ロア側ガイド部６１ｊ、６１ｋとアッパ側ガイド部７ｅ、７ｆとによってロアカバー６に対してアッパカバー７が位置決めされつつ、一対のロア側係合部６１ｌ、６１ｍと一対のアッパ側係合部７ｇ、７ｈとが係合することで、アッパカバー７をロアカバー６に対して所定の位置、ここでは、閉鎖位置で確実に係止することができる。
【００７５】
さらに、以上で説明した電気接続箱１によれば、ロア側ガイド部６１ｊ、６１ｋとアッパ側ガイド部７ｅ、７ｆとは、奥行き方向、及び、高さ方向と交差する幅方向に重なる。したがって、電気接続箱１は、ロア側ガイド部６１ｊ、６１ｋとアッパ側ガイド部７ｅ、７ｆとが幅方向に重なり互い違いに入り組んだ迷路状の構造を構成するので、ロア側ガイド部６１ｊ、６１ｋとアッパ側ガイド部７ｅ、７ｆとの隙間を介して外部側から収容空間部６２側に水が浸入することを抑制することができる。
【００７６】
さらに、以上で説明した電気接続箱１によれば、第１開口部６３は、鉛直方向に沿って形成され、アッパカバー７と本体部６１とは、アッパカバー７が本体部６１に組み付けられた状態で第１開口部６３の鉛直方向の縁部に沿ってアッパカバー７が本体部６１の外部側に位置して水平方向に重なる水平方向重複部位１１を有し、アッパカバー７は、本体部６１に組み付けられた状態で水平方向重複部位１１において本体部６１の収容空間部６２側に位置し第１開口部６３の鉛直方向に沿った縁部に沿って延在する第４アッパ側止水リブ７ｎと、本体部６１に組み付けられた状態で収容空間部６２の水平方向側方に第４アッパ側止水リブ７ｎを介して区画され水平方向重複部位１１を介して収容空間部６２側に侵入した水を鉛直方向下側に誘導する第１誘導通路７ｏとを有する。したがって、電気接続箱１は、ロアカバー６とアッパカバー７との水平方向重複部位１１において、各第４アッパ側止水リブ７ｎ、側壁面７ｃ、７ｄと側壁面６１ｃ、６１ｄとが互い違いに入り組んだ迷路状の構造を構成し、側壁面７ｃ、７ｄと側壁面６１ｃ、６１ｄとの隙間を介して外部側から収容空間部６２側に水が浸入することを抑制することができる。また、電気接続箱１は、万が一、側壁面７ｃ、７ｄと側壁面６１ｃ、６１ｄとの隙間を介して外部側から収容空間部６２側に水が浸入した場合であっても、第１誘導通路７ｏによって当該侵入した水を鉛直方向下側に誘導することで当該侵入した水が収容空間部６２に収容された電子部品ユニット２側に移動し付着することを抑制することができる。この結果、電気接続箱１は、侵入した水が電子部品４にかからないようにすることができる。
【００７７】
さらに、以上で説明した電気接続箱１によれば、本体部６１は、収容空間部６２の水平方向側方に第２区画壁６１ｘを介して区画され第２開口部６４とアッパカバー７との間を介して収容空間部６２側に侵入した水を鉛直方向下側に誘導する第２誘導通路６１ｙとを有する。したがって、電気接続箱１は、万が一、第２開口部６４とアッパカバー７との間を介して外部側から収容空間部６２側に水が浸入した場合であっても、第２誘導通路６１ｙによって当該侵入した水を鉛直方向下側に誘導することで当該侵入した水が収容空間部６２に収容された電子部品ユニット２側に移動し付着することを抑制することができる。
【００７８】
さらに、以上で説明した電気接続箱１によれば、奥行き方向は、水平方向に沿った方向であり、高さ方向は、鉛直方向に沿った方向である。つまり、電気接続箱１は、電子部品ユニット２を、第１開口部６３を介して水平方向に沿って収容空間部６２に挿入することができる一方、ブロック５に組み付けられた電子部品４と鉛直方向に沿って対向する第２開口部６４を介して当該電子部品４に対して作業を行うことができる。
【００７９】
さらに、以上で説明した電気接続箱１によれば、電子部品４は、ヒューズ４１を含む。したがって、電気接続箱１は、リレー４２等の他の電子部品４よりも交換可能性が高い傾向にあるヒューズ４１を、第２開口部６４を介して交換しやすいように構成することができる。
【００８０】
なお、上述した本発明の実施形態に係る電気接続箱は、上述した実施形態に限定されず、特許請求の範囲に記載された範囲で種々の変更が可能である。
【００８１】
以上の説明では、第１方向としての奥行き方向と第２方向としての高さ方向と第３方向としての幅方向とは相互に直交し、電気接続箱１が車両に搭載された状態で、奥行き方向、及び、幅方向が水平方向に沿った方向であり、高さ方向が鉛直方向に沿った方向であるものとして説明したがこれに限らない。例えば、第２方向としての高さ方向は、当該電気接続箱１の設置状況によっては鉛直方向に対して所定の角度を有してもよく、これに応じて、第１方向としての奥行き方向、第３方向としての幅方向も水平方向に対して所定の角度を有してもよい。
【００８２】
以上の説明では、筐体３は、全体として直方体箱状に形成されるものとして説明したがこれに限らない。また、第１開口部６３、第２開口部６４が形成される位置、形状は、上記のものに限らない。例えば、上記第１開口部６３と上記第２開口部６４とは、それぞれ本体部６１において隣接する異なる面に形成されて連続するものとして説明したが、必ずしも連続しなくてもよい。
【００８３】
以上の説明では、電気接続箱１は、第１蓋部材側リブとしての第１アッパ側止水リブ７ｋ、第２蓋部材側リブとしての第２アッパ側止水リブ７ｌ、第３蓋部材側リブとしての第３アッパ側止水リブ７ｍ、第１収容部材側リブとしての第１ロア側止水リブ６１ｑ、第２収容部材側リブとしての第２ロア側止水リブ６１ｒが設けられているものとして説明したがこれらを備えない構成であってもよい。同様に、電気接続箱１は、収容部材側ガイド部としてのロア側ガイド部６１ｊ、６１ｋ、収容部材側係合部としてのロア側係合部６１ｌ、６１ｍ、蓋部材側ガイド部としてのアッパ側ガイド部７ｅ、７ｆ、蓋部材側係合部としてのアッパ側係合部７ｇ、７ｈが設けられているものとして説明したがこれらを備えない構成であってもよい。
【００８４】
以上の説明では、第２開口部６４は、電子部品ユニット２が収容空間部６２に収容された状態で電子部品４としての複数のヒューズ４１の直上（高さ方向上側）の領域に形成されるものとして説明したがこれに限らない。第２開口部６４は、他の電子部品、例えば、電子部品４としての複数のリレー４２の直上（高さ方向上側）の領域に形成されてもよい。
【符号の説明】
【００８５】
１    電気接続箱
２    電子部品ユニット
４    電子部品
５    ブロック
６    ロアカバー（収容部材）
７    アッパカバー（蓋部材）
７ａ    第１蓋部
７ｂ    第２蓋部
７ｆ、７ｅ    アッパ側ガイド部（蓋部材側ガイド部）
７ｇ、７ｈ    アッパ側係合部（蓋部材側係合部）
７ｋ    第１アッパ側止水リブ（第１蓋部材側リブ）
７ｌ    第２アッパ側止水リブ（第２蓋部材側リブ）
７ｍ    第３アッパ側止水リブ（第３蓋部材側リブ）
７ｎ    第４アッパ側止水リブ（第４蓋部材側リブ）
７ｏ    第１誘導通路
１０    鉛直方向重複部位
１１    水平方向重複部位
４１    ヒューズ
４２    リレー
６１    本体部
６１ｊ、６１ｋ    ロア側ガイド部（収容部材側ガイド部）
６１ｌ、６１ｍ    ロア側係合部（収容部材側係合部）
６１ｑ    第１ロア側止水リブ（第１収容部材側リブ）
６１ｒ    第２ロア側止水リブ（第２収容部材側リブ）
６１ｓ    第１区画壁
６１ｔ    排水通路
６１ｔ’    返し凹部
６１ｘ    第２区画壁
６１ｙ    第２誘導通路
６２    収容空間部
６３    第１開口部
６４    第２開口部
【図１】
0006275624.tif 000002
【図２】
0006275624.tif 000003
【図３】
0006275624.tif 000004
【図４】
0006275624.tif 000005
【図５】
0006275624.tif 000006
【図６】
0006275624.tif 000007
【図７】
0006275624.tif 000008
【図８】
0006275624.tif 000009
【図９】
0006275624.tif 000010
【図１０】
0006275624.tif 000011
【図１１】
0006275624.tif 000012
【図１２】
0006275624.tif 000013